(57)【要約】      （修正有）【課題】ホーム柵用機器搭載のための部材の小型化，及び工事期間短縮を可能とする。【解決手段】鉄道レールの幅方向に異なる高さの２つの領域を有し，前記２つの領域のうち，前記鉄道レール側よりホーム側の領域の高さが低く，前記鉄道レール側の領域にホーム柵用制御機器が搭載され，前記鉄道レール側の領域とのホーム側の領域の高さの差の部分に，前記ホーム柵用制御機器に接続される電力線及び信号線を収容するケーブルトラフが設けられたホーム柵用プレキャストコンクリートスラブ構造。前記鉄道レール側の領域のホーム柵用制御機器が搭載される位置に，前記ホーム柵用制御機器のベースプレートをねじ止めする雌ねじが設けられ，前記幅方向に延びた鉄筋が鉄道レールに沿う長手方向に並列に複数配置されている。前記長手方向に並列に複数配置されている前記幅方向に延びた鉄筋に対し，長手方向に延びる複数の鉄筋を交叉結合して前記並列の間隔を維持する。【選択図】図２
2014088135.tif 000002
【特許請求の範囲】
【請求項１】
鉄道レールに沿う方向を長手方向とし，前記長手方向に対し垂直方向を幅方向とするホーム柵用プレキャストコンクリートスラブ構造であって，
前記幅方向に異なる高さの２つの領域を有し，
前記２つの領域のうち，前記鉄道レール側よりホーム側の領域の高さが大きく，
前記ホーム側の領域にホーム柵用制御機器が搭載され，
前記鉄道レール側の領域とのホーム側の領域の高さの差が，前記ホーム柵用制御機器に接続される電力線及び信号線を収容するケーブルラックの高さに相当する，
ことを特徴とするホーム柵用プレキャストコンクリートスラブ構造。
【請求項２】
請求項１において，
前記ホーム側の領域のホーム柵用制御機器が搭載される位置に，前記ホーム柵用制御機器のベースプレートをねじ止めする雌ねじが設けられている，
ことを特徴とするホーム柵用プレキャストコンクリートスラブ構造。
【請求項３】
請求項１において，
前記幅方向に延びた鉄筋が，前記長手方向に並列に複数配置されている，
ことを特徴とするホーム柵用プレキャストコンクリートスラブ構造。
【請求項４】
請求項３において，
前記長手方向に並列に複数配置されている，前記幅方向に延びた鉄筋に対し，長手方向に延びる複数の鉄筋を交叉結合して前記並列の間隔を維持する，
ことを特徴とするホーム柵用プレキャストコンクリートスラブ構造。
【請求項５】
請求項３において，
前記ホーム柵用制御機器が搭載される位置に対応する前記幅方向に延びた鉄筋は，下側部にのみに配置され，前記ホーム柵用制御機器が搭載される位置を除く位置に対応する前記幅方向に延びた鉄筋は，前記ホーム側の領域で上側部から下側部に伸びる鉄筋と，下側部から上側部に伸びる鉄筋との組により配置されている，
ことを特徴とするホーム柵用プレキャストコンクリートスラブ構造。
【請求項６】
鉄道レールに沿う方向を長手方向とし，前記長手方向に対し垂直方向を幅方向とするホーム柵用プレキャストコンクリートスラブ構造の製造方法であって，
床鋼板上に，前記幅方向に対応する幅の間隔で両側に，前記ホーム柵用プレキャストコンクリートスラブ構造の複数個分の長さを有する側鋼板と，前記側鋼板の両端側に上下仕切り鋼板を配置して，型枠を形成し，
前記型枠内に，プレキャストコンクリートスラブの上下面を逆にして前記ホーム柵用プレキャストコンクリートスラブ構造の表面の段差及び，凹部に対応する枕部材を配置し，
前記幅方向に延びる鉄筋を長さ方向に並列に複数配置し，
さらに，前記並列に複数配置された幅方向に延びる鉄筋に対し，前記並列に配置される間隔を維持するように，長さ方向に延び，前記幅方向に延びる鉄筋と交叉接続される複数の鉄筋を配置し，
さらに，前記上下仕切り鋼板間を緊張するより鋼筋を配置し，
前記型枠内に高流度のコンクリートを流し込み，固化し，
ついで，固化した状態で脱型した後，個々のホーム柵用プレキャストコンクリートスラブの長さに切断する，
ことを特徴とするホーム柵用プレキャストコンクリートスラブ構造の製造方法。
【請求項７】
請求項６において，
前記枕部材は，前記ホーム柵用プレキャストコンクリートスラブ構造に搭載されるホーム柵用制御機器に接続される電力線及び信号線を収容するケーブルラックに対応するスペースである，
ことを特徴とするホーム柵用プレキャストコンクリートスラブ構造の製造方法。
【請求項８】
請求項７において，
前記ホーム柵用プレキャストコンクリートスラブ構造に搭載されるホーム柵用制御機器に接続される電力線及び信号線を収容するケーブルラック自体を，前記枕部材として配置して，前記型枠内に高流度のコンクリートを流し込み，固化する，  
ことを特徴とするホーム柵用プレキャストコンクリートスラブ構造の製造方法。
【発明の詳細な説明】
【技術分野】
【０００１】
本発明は，ホーム柵用プレキャストコンクリート(ＰＣ)スラブ構造及びその製造方法に関する。
【背景技術】
【０００２】
近年，転落防止等の対策の一つとして，既設の鉄道プラットホームに安全柵(ホーム柵)を敷設することが行われている。
【０００３】
これまで，鉄道ホームの床を形成するＰＣ版の設計仕様は，軽量化を意図した穴空きＰＣ版であり， 乗客の等分布加重のみが考慮され曲げ応力やせん断力に対応していた。しかし，ホーム柵設置に伴いホーム扉の開閉を制御する機器の死荷重，風荷重による水平力，更に乗客の推力などが新たに加わるために，これまでの穴空きＰＣ版の構造では耐力不足となる。同時に，ホーム柵用制御機器の搭載工事に長期間を要するものである。
【０００４】
図１Ａ，図１Ｂは，かかる既存の穴空きＰＣ版の問題を説明する図（その１，その２）である。
【０００５】
図１Ａ，（Ａ）は，既存の穴空きＰＣ版の幅方向（線路の長さ方向に対して垂直）の断面を示す図である。設計仕様として，幅Ｗ=１００ｃｍ，厚さｔ=１０ｃｍの大きさの穴空きＰＣ版１に対して乗客の等分布荷重500kg／ｍ２である。長さ方向（紙面垂直方向）に延びる複数の穴１Ａを設けることで軽量化し，更に，長さ方向に並列に配置された複数の鉄筋（ＰＣ鋼線）２により強度を得ている。
【０００６】
これに対して，図１Ａ，（Ｂ）に示す様に，ホーム柵用機器３を搭載する場合は，大判のベースプレート４による補強対策が必要となる。さらに，機器３の固定のために，穴空きＰＣ版１において，貫通ボルト５の通し孔と，電力及び信号線用ケーブルを通す穴(ケーブルルート)６の穿孔が必要となる。
【０００７】
この際，既存の穴空きＰＣ版では，かかる穿孔を考慮したＰＣ鋼線２の配置が考慮されていない。したがって，ケーブルルート６の穿孔のために，鉄筋探査の上，ＰＣ鋼線を少なくとも１本切断する作業が必要であった。
【０００８】
さらに，ホーム柵設置に伴い風荷重などの水平力により穴空きＰＣ版１が浮き上がる恐れがある。このために，穴空きＰＣ版１を 図示しない，Ｈ鋼等の横桁に固定する構造が新たに必要となる。
【０００９】
また，ケーブルルート６は，図１Ｂ，（Ｃ）に示す様に，ＰＣ版１の下側に，ケーブルラック７が配置されるために，ケーブルラック７を設けるスペースを確保することが必要である。このために，図示しない穴空きＰＣ版１の下側の盛土の撤去が必要となり，工期短縮の弊害となる。
【００１０】
図１Ｂ，（Ｄ）は，上記の既存の穴空きＰＣ版の長さ方向に添う断面を模式的に示す図である。このように長さ方向（紙面垂直方向）に並列に配置された複数のＰＣ鋼線２により強度を得ているため，無負荷の場合でも湾曲しており，単に大判のベースプレート４を穴空きＰＣ版に設置しただけでは，ベースプレート４の平面性が維持できないことになる。また，穴空きＰＣ版の湾曲状態はベースプレート４の設置箇所や，穴空きＰＣ版上の負荷具合によって異なり３次元的な高さ調整（水平調整）作業が必要となる。
【００１１】
また，ホーム柵用機器３のメンテナンスが必要となった場合は，線路閉鎖を伴う夜間作業が主体となり，緊急時の中間点検が困難であった。
【００１２】
なお，ＰＣ版全体の厚み強度を主眼にして，ホーム柵用機器３の荷重を前提に全体を厚くすることも考えられるが，かかる場合はＰＣ版の自重が大きくなってしまう。
【００１３】
かかる従来のＰＣ版に関係する従来例として特許文献１〜７等に記載の発明がある。
【先行技術文献】
【特許文献】
【００１４】
【特許文献１】特開平１０−３１７５６４号公報
【特許文献２】特開平１０−１８３５３５号公報
【特許文献３】特開２００１−１０６０６２号公報
【特許文献４】特開２００４−１８８９０７号公報
【特許文献５】特開２００５−５４４４４号公報
【特許文献６】特開２００６−１６９７５６号公報
【特許文献７】特開２００８−２６６９６０号公報
【発明の概要】
【発明が解決しようとする課題】
【００１５】
上記したように，安全柵用機器搭載に際して，既存の穴空きＰＣ版では，機器設置のために大きなベースプレートの設置，及び固定のための穿孔及び，ケーブルルートを形成するための貫通孔の形成工事，並びにケーブルラックを設ける鋼材の設置やスペース確保のための盛土の撤去等の土木作業まで必要となる。さらに，穴空きＰＣ版の湾曲に対応した３次元的高さ調整（水平調整）が必要となっている。
【００１６】
したがって，本願発明の目的は，かかる不都合を解消する，ホーム柵用機器搭載のための部材の小型化，ＰＣ版の湾曲量の縮小による３次元的高さ調整（水平調整）の効率化，及び工事期間短縮を可能とするホーム柵用プレキャストコンクリートスラブ構造及びその製造方法を提供することにある。
【課題を解決するための手段】
【００１７】
上記目的を達成するホーム柵用プレキャストコンクリートスラブ構造は，第１の態様として
鉄道レールに沿う方向を長手方向とし，前記長手方向に対し垂直方向を幅方向とする穴空き構造をなくした無垢のホーム柵用プレキャストコンクリートスラブ構造であって，前記幅方向に異なる高さの２つの領域を有し，前記２つの領域のうち，前記鉄道レール側よりホーム側の領域の高さが大きく，前記ホーム側の領域にホーム柵用制御機器が搭載され，前記鉄道レール側の領域とのホーム側の領域の高さの差が，前記ホーム柵用制御機器に接続される電力線及び信号線を収容するケーブルラックの高さに相当することを特徴とする。
【００１８】
上記目的を達成するホーム柵用プレキャストコンクリートスラブ構造は，第１の態様において，前記ホーム側の領域のホーム柵用制御機器が搭載される位置に，前記ホーム柵用制御機器のベースプレートを，ねじ止めする雌ねじが設けられていることを特徴とする。
【００１９】
また，上記目的を達成するホーム柵用プレキャストコンクリートスラブ構造は，第１の態様において，前記幅方向に延びた鋼筋が，前記長手方向に並列に複数配置されていることを特徴とする。
【００２０】
さらに，前記長手方向に並列に複数配置されている，前記幅方向に延びた鉄筋に対し，長手方向に延びる複数の鉄筋を交叉結合して前記並列の間隔を維持する，
ことを特徴とする。
【００２１】
また，前記ホーム柵用制御機器が搭載される位置に対応する前記幅方向に延びた鉄筋は，下側部にのみに配置され，前記ホーム柵用制御機器が搭載される位置を除く位置に対応する前記幅方向に延びた鉄筋は，前記ホーム側の領域で上側部から下側部に伸びる鉄筋と，下側部から上側部に伸びる鉄筋との組により配置されていることを特徴とする。
【００２２】
さらに，上記目的を達成するホーム柵用プレキャストコンクリートスラブ構造の製造方法は，鉄道レールに沿う方向を長手方向とし，前記長手方向に対し垂直方向を幅方向とするホーム柵用プレキャストコンクリートスラブ構造の製造方法であって，
床鋼板上に，前記幅方向に対応する幅の間隔で両側に，前記ホーム柵用プレキャストコンクリートスラブ構造の複数個分の長さを有する側鋼板と，前記側鋼板の両端側に上下仕切り鋼板を配置して，型枠を形成し，前記型枠内に，プレキャストコンクリートスラブの上下面を逆にして前記ホーム柵用プレキャストコンクリートスラブ構造の表面の段差及び，凹部に対応する枕部材を配置し，前記幅方向に延びる鉄筋を長さ方向に並列に複数配置し，さらに，前記並列に複数配置された幅方向に延びる鉄筋に対し，前記並列に配置される間隔を維持するように，長さ方向に延び，前記幅方向に延びる鉄筋と交叉接続される複数の鉄筋を配置し，さらに，前記上下仕切り鋼板間を緊張するより鋼筋を配置し，前記型枠内に高流度のコンクリートを流し込み，固化し，ついで，固化した状態で脱型した後，個々のホーム柵用プレキャストコンクリートスラブの長さに切断することを特徴とする。
【００２３】
前記製造方法において，前記枕部材は，前記ホーム柵用プレキャストコンクリートスラブ構造に搭載されるホーム柵用制御機器に接続される電力線及び信号線を収容するケーブルラックに対応するスペースであることを特徴とする。
【００２４】
また，前記方法において，前記ホーム柵用プレキャストコンクリートスラブ構造に搭載されるホーム柵用制御機器に接続される電力線及び信号線を収容するケーブルラック自体を，前記枕部材として配置して，前記型枠内に高流度のコンクリートを流し込み，固化することを特徴とする。
【００２５】
上記特徴構成により，前記鉄道レール側よりホーム側の領域の高さが大きい領域の部分には，ホーム柵設置に必要となる制御機器の死荷重，風や乗客による水平力，推力に対応してＰＣ鋼線の緊張力や鉄筋の配筋により，湾曲やねじれが改善される。
【図面の簡単な説明】
【００２６】
【図１Ａ】既存の穴空きＰＣ版の問題を説明する図（その１）である。
【図１Ｂ】既存の穴空きＰＣ版の問題を説明する図（その２）である。
【図２】本発明が適用される一実施例として，ホーム柵用プレキャストコンクリートスラブ構造を示す図である。
【図３】本発明に従うＰＣスラブの一構成例を上面側から見た斜視図である。
【図４】図３に示すＰＣスラブに埋め込まれる鉄筋の種類を示す図である。
【図５】図４に示す３種類の鉄筋のＰＣスラブ内の配置を説明する図である。
【図６】更に異なるＰＣスラブの断面構造を示す図である。
【図７】図５（Ａ），図５（Ｂ）の配置関係を理解容易とするための上面概念図であり，３種類の鉄筋（図４（Ａ）〜図４（Ｃ））の位置関係を示している。
【図８】ＰＣスラブの製造方法に用いる施設について説明する図である。
【図９】側鋼板間に配置される枕部材の配置を示す図である。
【図１０】枕部材の他の形態例を示す図である。
【図１１】両側鋼板から脱型された状態で，複数につながったＰＣスラブの状態を示す図である。
【図１２】図１１において，切断分離された個別のＰＣスラブをプラットホーム形態に対応して複数個並べる場合を説明する図である。
【発明を実施するための形態】
【００２７】
以下に図面を参照して，本発明の実施例を説明する。なお，実施例の説明は発明の理解のためであって，本発明の保護の範囲は，かかる実施例に限定されるものではない。
【００２８】
図２は，本発明が適用される一実施例として，ホーム柵用プレキャストコンクリート（ＰＣ）スラブ構造を示す図である。図２において，紙面左側が鉄道レールに沿う側であり，右側がホーム側である。
【００２９】
図２（Ａ）は，本発明に従うホーム柵用ＰＣスラブ構造の幅方向に添う断面模式図である。特徴として，ホーム柵用ＰＣスラブ１０は，厚さｔの部分と，厚さＴ（＞ｔ）の異なる部分領域を有する。すなわち，ホーム柵設置に必要となる制御機器の死荷重，風や乗客による水平力，推力によるねじれに対応可能な第１の部分ａ（幅ｗ１）と，群衆荷重，ケーブル荷重部分に分担された第２の部分ｂ（幅ｗ２）を有する。
【００３０】
後に詳細に説明するように，第１の部分ａと第２の部分ｂには下部側に紙面に垂直に延びる鋼筋を有している。さらに，紙面垂直方向に所定間隔で，幅方向に配置される複数種の鉄筋と，これに交叉する鉄筋を有している。
【００３１】
実施例の大きさとして，全幅Ｗ＝１００ｃｍのＰＣスラブに対して，第１の部分ａは厚さＴ＝１５ｃｍ，幅ｗ１＝６０ｃｍ，第２の部分ｂは厚さｔ＝１０ｃｍ，幅ｗ２＝４０ｃｍである。
【００３２】
図２（Ｂ）は，本発明に従うホーム柵用ＰＣスラブ構造に制御機器１１を搭載した状態を示す断面模式図である。同様に，図面左側が鉄道レール側であり，図面右側が，ホーム側である。
【００３３】
本発明に従うＰＣスラブ構造では，より小さいベースプレート１２及び調整プレート１３により，７００ｋｇ近くの重量の制御機器１１のＰＣスラブ１０への搭載における補強が可能である。
【００３４】
すなわち，ＰＣスラブ１０の第１の部分ａに複数の雌ねじ部分１４を設けている。機器１１のベースプレート１２及び調整プレート１３をこれら雌ねじ部分１４にボルト１５をねじ挿入して固定することができる。
【００３５】
一方，ＰＣスラブ１０の第２の部分ｂは，第１の部分ａの部分と段差を有し，この段差部分にケーブルラック１６を設けることができる。ケーブルラック１６内にケーブル１７を通し，制御機器１１に電力線及び信号線を接続することができる。
【００３６】
さらに，ＰＣスラブ１０の表面側にモルタル層１８を介してタイル床１９を配置して，ホーム床を形成する。
【００３７】
上記の本発明のＰＣスラブ構造により，ＰＣスラブ１の下側の盛土の撤去が不要となり，工期短縮が図られる。さらに，タイル床１９に開口部２０を設けることにより，線路閉鎖が伴う夜間作業を待たずに，緊急時の中間点検が可能である。
【００３８】
図２（Ｃ）は，上記図２（Ｂ）のＰＣスラブ構造の別態様であり，厚みＴの第1の部分ａと，厚みｔ（＜Ｔ）の第２の部分を独立して作成された形態である。他の構成は，図２（Ｂ）のＰＣスラブ構造と同一である。
【００３９】
図３は，上記に断面構造で示した本発明に従うＰＣスラブ１０の一構成例を上面側から見た斜視図である。なお，紙面の都合上ＰＣスラブ１０の長手方向の長さ（幅１に対し，長さ３の比）は短縮して示している。以下の実施例図面においても同様である。
【００４０】
ＰＣスラブ１０は，幅方向に，高さが異なる第1の部分ａと第２の部分ｂを有する。第1の部分ａには，制御機器１１（図２参照）を搭載するためのベースプレート１２及び調整プレート１３が位置づけられる凹み領域３０が形成されている。
【００４１】
そして，かかる凹み領域３０にベースプレート１２及び調整プレート１３を固定するための雌ねじ１４が埋め込まれている。さらに，ＰＣスラブ１０の四隅には，Ｈ鋼等の横桁に固定する部材が嵌め込まれる切り欠き部３２を有する。これは，ＰＣスラブ上に制御機器が載荷されると風や乗客による水平力，推力などにより，ＰＣスラブに回転力が加わるため，防止策として配置されている。
【００４２】
なお，切り欠き部３２の形状折りは，四角形に限られず，図３右下に示す破線丸で囲ったような半円形状であってもよい。かかる半円形状とする利点は，後の実施例説明により，明らかになる。
【００４３】
以降に，かかる図３に示すＰＣスラブ１０の強度を担保する鉄筋と鋼筋の構造と，製造方法について説明する。
【００４４】
図４は，図３に示すＰＣスラブ１０に埋め込まれる鉄筋の形状を示す図であり，３種類の鉄筋形状（Ａ）〜（Ｃ）の鉄筋４０〜４２を有する。
【００４５】
今，図３に示すＰＣスラブ１０の左右方向（レール側からホーム側に向かう方向）を第１の方向とし，ＰＣスラブ１０の長手方向即ち，レールに沿う前記第１の方向と垂直方向を第２の方向とする。
【００４６】
図５は，図４に示す３種類の鉄筋４０〜４２のＰＣスラブ１０内の配置を説明する図である。図５（Ａ）は，凹み領域３０（図３）を横切る部分のＡ−Ａ線に沿う断面図であり，図４（Ａ）の形態の鉄筋４０が第１の方向に配置され，更に第２の方向に並列に複数本が配置される。鉄筋４０は，第２の方向に延びる複数の鉄筋５０，５１と交叉結合されている。
【００４７】
図５（Ｂ）は，凹み領域３０（図３）を除く領域部分のＢ−Ｂ線に沿う断面図であり，図４（Ｂ）及び図４（Ｃ）の形態の２つ鉄筋４１，４２を組として第１の方向に配置され，更に第２の方向に並列に複数組が配置される。鉄筋４１，４２は，第２の方向に延びる複数の鉄筋５０，５１と交叉結合されている。
【００４８】
さらに，図５において，紙面に垂直方向即ち，第２の方向に複数のより線で形成され，長さ方向に強度を維持するための鋼筋５２が下側鉄筋部と交叉結合している。
【００４９】
図６は，更に異なるＰＣスラブの断面構造を示す図である。すなわち，先の実施例の厚さ１５ｃｍの部分を，１２ｃｍと薄くした場合の鉄筋の形状を示している。
【００５０】
厚さが，低い場合は，直線上の鉄筋６０(図６（１）)と，厚み方向に曲げられた部位を有する鉄筋６１(図６（２）)の組み合わせで構成される。第２の方向に伸びる鉄筋６２，及びより線の鋼筋６３が，交叉結合されて固定される。
【００５１】
図７は，更に前記第２の方向における，図５（Ａ），図５（Ｂ）の配置関係を理解容易とするための上面概念図であり，３種類の鉄筋４０，４１,４２の位置関係を示している。なお，第２の方向に延びる鉄筋５０，５１及びより線の鋼筋５２は，図示省略している。
【００５２】
この図から，凹み領域３０（図３）に図４（Ａ）の形態の鉄筋４０が並列に配置されていること，更に凹み領域３０の両側領域に図４（Ｂ），（Ｃ）の形態の鉄筋４１，４２が組とされて並列に配置されていることが理解できる。
【００５３】
図８は，上記のＰＣスラブの製造方法に用いる型枠について説明する図である。本発明に従うＰＣスラブの製造方法は，上記したＰＣスラブを複数個同時に形成することを特徴とする。さらに，ＰＣスラブの上下面を逆にして異なった厚さに対応を可能にし，製造することに特徴を有する。
【００５４】
ＰＣスラブの製造方法において，先ず，床面としてベース鉄板８０を敷き，ベース鉄板８０上に，ＰＣスラブの幅Ｗに相当する間隔を空けて複数個分のＰＣスラブの長さに対応する長さを有する左右の側鋼板８１Ｒ，８１Ｌを配置する。さらに，側鋼板８１Ｒ，８１Ｌの上端側及び下端側に仕切り鋼板を配置する。図８においては，上端側及び下端側の仕切り鋼板のうち上端側の仕切り鋼板８１Ｆのみ示している。
【００５５】
図９は，側鋼板８１Ｒ，８１Ｌ間に配置される枕部材７０の配置を示す図である。
【００５６】
すなわち，図３に示したすＰＣスラブ１０の表面形態に対応する第１の部分ａと第２の部分ｂの段差，ベースプレート１２及び調整プレート１３が位置づけられる凹み領域３０，Ｈ鋼等の横桁に固定する部材が嵌め込まれる切り欠き部３２を形成するために，それぞれに対応する高さの枕部材７０を左右の側鋼板８１Ｒ，８１Ｌに沿って配置する。
【００５７】
図９（Ａ）は，図９（Ｂ）のＣ−Ｃ線に沿う断面図であり，図９（Ｂ）は上面図であり，２個のＰＣスラブに相当する領域を示している。枕部材７０は，発泡スチロールにフィルムを巻き形成している。
【００５８】
また，枕部材７０の変形例として，図１０に示すように，コンクリートにてケーブル空間を確保する方法や，ケーブルトラフを事前に埋め込んで合体させる方法であってもよい。すなわち，図１０において，図１０（Ａ）は，図９（Ａ）を再掲する図であり，図１０（Ｂ），図１０（Ｃ）は，その変形例である。
【００５９】
図１０（Ｂ）は，枕材７１を配置して，隣接する枕材７１の間にコンクリートを流し，ケーブルトラフの枠を形成する方法である。図１０（Ｃ）は，予め強化プラスチック等により構成されるケーブルトラフを作成し，これを他のコンクリート部分と一体にプレキャストする方法である。
【００６０】
次いで，図９に戻り，図５，図６で説明したように，図４に示す３種の鉄筋４０，４１，４２を図６に示す様に並列配置する。さらに，これに垂直な長さ方向に鉄筋５０，５１（図５）を配置する。両側鋼板８１Ｒ，８１Ｌ間を鋼材で保持するとともに，長さ方向の鋼筋５２を上下端の仕切り鋼板間に緊張保持する。
【００６１】
この様に，準備された型枠に高流度化されたコンクリートを流し込み，固化する。
【００６２】
図１１は，両側鋼板８１Ｒ，８１Ｌ及び上下端の仕切り鋼板から成る型枠から脱型された状態で，複数につながったＰＣスラブの状態を示す図である。理解を容易とするために，図９で固化された状態を表裏反転して示している。図１１において，矢印方向に切断して，個別のＰＣスラブが得られる。
【００６３】
図１２は，図１１において，切断分離された個別のＰＣスラブ１０をプラットホーム形態に対応して複数個並べる場合を説明する図である。
【００６４】
図１２（Ａ）は，略直線上にＰＣスラブを並べる場合を説明する図であり，５ｃｍ程度の間隔をおいて個別のＰＣスラブ１が並べられている。そして，両者間は，ＰＣスラブ１０の端部に形成される切り欠き部３２（図３）に係合する金属板材１２０の両端部でＨ型鋼にボルト１２１で固定される。
【００６５】
図１２（Ｂ）は，線路の曲がりに対応してＰＣスラブ１０間の隙間を斜めにして配置される場合である。このような場合は，切り欠き部３２（図３）を図３右下に示したように半円形として更に金属板材１２０の形状を円形にした図である。このように，切り欠き部３２と金属板材１２０を円形にすることにより，ＰＣスラブ１０間の配置が斜めであっても容易に対応することができる。  
【産業上の利用可能性】
【００６６】
以上述べたように，本発明の構成により，ホーム柵用機器搭載のための部材の小型化，及び工事期間短縮を可能とするホーム柵用プレキャストコンクリートスラブ構造を得ることが可能である。
【符号の説明】
【００６７】
１０  ＰＣスラブ
１１  ホーム柵制御機器
１２  ベースプレート
１３  調整プレート
１４  雌ねじ部分
１５  ボルト
１６  ケーブルラック
１７  ケーブル
４０〜４２，５０，５１  鉄筋
５２  より線による鋼筋
【図１Ａ】
2014088135.tif 000003
【図１Ｂ】
2014088135.tif 000004
【図２】
2014088135.tif 000005
【図３】
2014088135.tif 000006
【図４】
2014088135.tif 000007
【図５】
2014088135.tif 000008
【図６】
2014088135.tif 000009
【図７】
2014088135.tif 000010
【図８】
2014088135.tif 000011
【図９】
2014088135.tif 000012
【図１０】
2014088135.tif 000013
【図１１】
2014088135.tif 000014
【図１２】
2014088135.tif 000015
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
鉄道レールに沿う方向を長手方向とし，前記長手方向に対し垂直方向を幅方向とするホーム柵用プレキャストコンクリートスラブ構造であって，
前記幅方向に異なる高さの２つの領域を有し，
前記２つの領域のうち，前記鉄道レール側よりホーム側の領域の高さが低く，
前記鉄道レール側の領域にホーム柵用制御機器が搭載され，
前記鉄道レール側の領域とのホーム側の領域の高さの差の部分に，前記ホーム柵用制御機器に接続される電力線及び信号線を収容するケーブルトラフが設けられる，
ことを特徴とするホーム柵用プレキャストコンクリートスラブ構造。
【請求項２】
請求項１において，
前記鉄道レール側の領域のホーム柵用制御機器が搭載される位置に，前記ホーム柵用制御機器のベースプレートをねじ止めする雌ねじが設けられている，
ことを特徴とするホーム柵用プレキャストコンクリートスラブ構造。
【請求項３】
請求項１において，
前記幅方向に延びた鉄筋が，前記長手方向に並列に複数配置されている，
ことを特徴とするホーム柵用プレキャストコンクリートスラブ構造。
【請求項４】
請求項３において，
前記長手方向に並列に複数配置されている，前記幅方向に延びた鉄筋に対し，長手方向に延びる複数の鉄筋を交叉結合して前記並列の間隔を維持する，
ことを特徴とするホーム柵用プレキャストコンクリートスラブ構造。
【請求項５】
請求項３において，
前記ホーム柵用制御機器が搭載される位置に対応する前記幅方向に延びた鉄筋は，下側部にのみに配置され，前記ホーム柵用制御機器が搭載される位置を除く位置に対応する前記幅方向に延びた鉄筋は，前記鉄道レール側の領域で上側部から下側部に伸びる鉄筋と，下側部から上側部に伸びる鉄筋との組により配置されている，
ことを特徴とするホーム柵用プレキャストコンクリートスラブ構造。
【請求項６】
鉄道レールに沿う方向を長手方向とし，前記長手方向に対し垂直方向を幅方向とし，前記幅方向に異なる高さの２つの領域を有し，前記２つの領域のうち，前記鉄道レール側よりホーム側の領域の高さが低くなる段差を有し，前記鉄道レール側の領域にホーム柵用制御機器が搭載されるホーム柵用プレキャストコンクリートスラブ構造の製造方法であって，
床鋼板上に，前記幅方向に対応する幅の間隔で両側に，前記ホーム柵用プレキャストコンクリートスラブ構造の複数個分の長さを有する側鋼板と，前記側鋼板の両端側に上下仕切り鋼板を配置して，型枠を形成し，
前記型枠内に，ホーム柵用プレキャストコンクリートスラブの上下面を逆にして前記ホーム柵用プレキャストコンクリートスラブ構造の段差及び，前記鉄道レール側の領域にあって，前記ホーム柵用制御機器を搭載するための凹部に対応する枕部材を配置し，
前記幅方向に延びる鉄筋を長さ方向に並列に複数配置し，
さらに，前記並列に複数配置された幅方向に延びる鉄筋に対し，前記並列に配置される間隔を維持するように，長さ方向に延び，前記幅方向に延びる鉄筋と交叉接続される複数の鉄筋を配置し，
さらに，前記上下仕切り鋼板間を緊張するより鋼筋を配置し，
前記型枠内に高流度のコンクリートを流し込み，固化し，
ついで，固化した状態で脱型した後，個々のホーム柵用プレキャストコンクリートスラブの長さに切断する，
ことを特徴とするホーム柵用プレキャストコンクリートスラブ構造の製造方法。
【請求項７】
請求項６において，
前記段差に対応する枕部材は，前記ホーム柵用プレキャストコンクリートスラブ構造に搭載されるホーム柵用制御機器に接続される電力線及び信号線を収容するケーブルトラフに対応するスペースである，
ことを特徴とするホーム柵用プレキャストコンクリートスラブ構造の製造方法。
【請求項８】
請求項７において，
前記ホーム柵用プレキャストコンクリートスラブ構造に搭載されるホーム柵用制御機器に接続される電力線及び信号線を収容するケーブルトラフ自体を，前記枕部材として配置して，前記型枠内に高流度のコンクリートを流し込み，固化する，
ことを特徴とするホーム柵用プレキャストコンクリートスラブ構造の製造方法。
【手続補正２】
【補正対象書類名】明細書
【補正対象項目名】００１７
【補正方法】変更
【補正の内容】
【００１７】
上記目的を達成するホーム柵用プレキャストコンクリートスラブ構造は，第１の態様として，
鉄道レールに沿う方向を長手方向とし，前記長手方向に対し垂直方向を幅方向とするホーム柵用プレキャストコンクリートスラブ構造であって，前記幅方向に異なる高さの２つの領域を有し，前記２つの領域のうち，前記鉄道レール側よりホーム側の領域の高さが低く，前記鉄道レール側の領域にホーム柵用制御機器が搭載され，前記鉄道レール側の領域とのホーム側の領域の高さの差の部分に，前記ホーム柵用制御機器に接続される電力線及び信号線を収容するケーブルトラフが設けられることを特徴とする。
【手続補正３】
【補正対象書類名】明細書
【補正対象項目名】００１８
【補正方法】変更
【補正の内容】
【００１８】
上記目的を達成するホーム柵用プレキャストコンクリートスラブ構造は，第１の態様において，前記鉄道レール側の領域のホーム柵用制御機器が搭載される位置に，前記ホーム柵用制御機器のベースプレートをねじ止めする雌ねじが設けられていることを特徴とする。
【手続補正４】
【補正対象書類名】明細書
【補正対象項目名】００２１
【補正方法】変更
【補正の内容】
【００２１】
また，前記ホーム柵用制御機器が搭載される位置に対応する前記幅方向に延びた鉄筋は，下側部にのみに配置され，前記ホーム柵用制御機器が搭載される位置を除く位置に対応する前記幅方向に延びた鉄筋は，前記鉄道レール側の領域で上側部から下側部に伸びる鉄筋と，下側部から上側部に伸びる鉄筋との組により配置されていることを特徴とする。
【手続補正５】
【補正対象書類名】明細書
【補正対象項目名】００２２
【補正方法】変更
【補正の内容】
【００２２】
さらに，上記目的を達成するホーム柵用プレキャストコンクリートスラブ構造の製造方方は，鉄道レールに沿う方向を長手方向とし，前記長手方向に対し垂直方向を幅方向とし，前記幅方向に異なる高さの２つの領域を有し，前記２つの領域のうち，前記鉄道レール側よりホーム側の領域の高さが低くなる段差を有し，前記鉄道レール側の領域にホーム柵用制御機器が搭載されるホーム柵用プレキャストコンクリートスラブ構造の製造方法であって，
床鋼板上に，前記幅方向に対応する幅の間隔で両側に，前記ホーム柵用プレキャストコンクリートスラブ構造の複数個分の長さを有する側鋼板と，前記側鋼板の両端側に上下仕切り鋼板を配置して，型枠を形成し，前記型枠内に，ホーム柵用プレキャストコンクリートスラブの上下面を逆にして前記ホーム柵用プレキャストコンクリートスラブ構造の段差及び，前記鉄道レール側の領域にあって，前記ホーム柵用制御機器を搭載するための凹部に対応する枕部材を配置し，前記幅方向に延びる鉄筋を長さ方向に並列に複数配置し，さらに，前記並列に複数配置された幅方向に延びる鉄筋に対し，前記並列に配置される間隔を維持するように，長さ方向に延び，前記幅方向に延びる鉄筋と交叉接続される複数の鉄筋を配置し，さらに，前記上下仕切り鋼板間を緊張するより鋼筋を配置し，前記型枠内に高流度のコンクリートを流し込み，固化し，ついで，固化した状態で脱型した後，個々のホーム柵用プレキャストコンクリートスラブの長さに切断することを特徴とする。
【手続補正６】
【補正対象書類名】明細書
【補正対象項目名】００２３
【補正方法】変更
【補正の内容】
【００２３】
前記製造方法において，前記段差に対応する枕部材は，前記ホーム柵用プレキャストコンクリートスラブ構造に搭載されるホーム柵用制御機器に接続される電力線及び信号線を収容するケーブルトラフに対応するスペースであることを特徴とする。
【手続補正７】
【補正対象書類名】明細書
【補正対象項目名】００２４
【補正方法】変更
【補正の内容】
【００２４】
前記ホーム柵用プレキャストコンクリートスラブ構造に搭載されるホーム柵用制御機器に接続される電力線及び信号線を収容するケーブルトラフ自体を，前記枕部材として配置して，前記型枠内に高流度のコンクリートを流し込み，固化する，
ことを特徴とする。
【手続補正８】
【補正対象書類名】明細書
【補正対象項目名】００２５
【補正方法】変更
【補正の内容】
【００２５】
上記特徴構成により，前記ホーム側より鉄道レール側の領域の高さが大きい領域の部分には，ホーム柵設置に必要となる制御機器の死荷重，風や乗客による水平力，推力に対応してＰＣ鋼線の緊張力や鉄筋の配筋により，湾曲やねじれが改善される。
【手続補正９】
【補正対象書類名】明細書
【補正対象項目名】００３５
【補正方法】変更
【補正の内容】
【００３５】
一方，ＰＣスラブ１０の第２の部分ｂは，第１の部分ａの部分と段差を有し，この段差部分にケーブルトラフ１６を設けることができる。ケーブルトラフ１６内にケーブル１７を通し，制御機器１１に電力線及び信号線を接続することができる。
【手続補正１０】
【補正対象書類名】明細書
【補正対象項目名】００４２
【補正方法】変更
【補正の内容】
【００４２】
なお，切り欠き部３２の形状は，四角形に限られず，図３右下に示す破線丸で囲ったような半円形状であってもよい。かかる半円形状とする利点は，後の実施例説明により，明らかになる。
【手続補正１１】
【補正対象書類名】明細書
【補正対象項目名】００６７
【補正方法】変更
【補正の内容】
【００６７】
１０  ＰＣスラブ
１１  ホーム柵制御機器
１２  ベースプレート
１３  調整プレート
１４  雌ねじ部分
１５  ボルト
１６  ケーブルトラフ
１７  ケーブル
４０〜４２，５０，５１  鉄筋
５２  より線による鋼筋